(57)【特許請求の範囲】
【請求項１】
光源から出射された光束を変調した後に拡大投写して投写画像を形成する光学系と、この光学系を収容する外装ケースとを備えたプロジェクタであって、
前記外装ケースは、金属製部分と樹脂製部分とで構成され、前記樹脂製部分の内部側には、金属製の電磁遮蔽部材が取り外し可能に設けられており、
前記金属製部分には、ネジ孔が穿設され、
前記樹脂製部分には、前記ネジ孔に対応したリブが設けられ、
前記電磁遮蔽部材は板状であって、前記金属製部分の側面に対向するように折曲された折曲面部を備えており、
前記電磁遮蔽部材の折曲部分には開口が設けられ、
前記電磁遮蔽部材が前記樹脂製部分に固定された状態では前記開口に前記リブが挿入されることにより、前記折曲面部は、前記金属製部分の側面と前記リブとの間に挟まれて前記リブに螺合するネジで固定されていることを特徴とするプロジェクタ。
【請求項２】
請求項１に記載のプロジェクタにおいて、前記外装ケースの樹脂製部分には金属製のナット部材が埋設され、このナット部材に螺合されるネジで前記金属製部分が当該樹脂製部分に固定されていることを特徴とするプロジェクタ。
【請求項３】
光源から出射された光束を変調した後に拡大投写して投写画像を形成する光学系と、この光学系を収容する外装ケースとを備えたプロジェクタであって、
前記外装ケースは、金属製部分と樹脂製部分とで構成され、
前記樹脂製部分の内部側には、金属製の電磁遮蔽部材が取り外し可能に設けられており、
前記外装ケース内に配置される電源は、当該電源のインレットコネクタが取り付けられた接地用の導通部材を備え、
前記樹脂製部分には垂下片が設けられ、
前記電磁遮蔽部材は板状であって、前記金属製部分の側面に対向するように折曲された折曲面部を備えており、
前記電磁遮蔽部材の折曲部分には開口が設けられ、
前記折曲面部は、前記垂下片が前記開口に挿入されることによって前記金属製部分の側面と前記垂下片との間に挟まれ、
前記導通部材は、前記インレットコネクタの取付位置近傍で前記垂下片、前記折曲面部と共に前記金属製部分にネジ止めされていることを特徴とするプロジェクタ。
【請求項４】
請求項１ないし請求項３のいずれかに記載のプロジェクタにおいて、前記外装ケースは、上面部、底面部、前面部、背面部、および対向する一対の側面部を有する略箱状とされているとともに、前記前面部を形成する金属製のフロントケースと、前記上面部および背面部を一体に形成する樹脂製のアッパーケースと、前記底面部および前記各側面部を一体に形成する金属製のロアーケースとで構成されていることを特徴とするプロジェクタ。
【発明の詳細な説明】
【０００１】
【発明の属する技術分野】
本発明は、光源から出射された光束を変調した後に拡大投写して投写画像を形成する光学系と、この光学系を収容する外装ケースとを備えたプロジェクタに関する。
【０００２】
【背景技術】
近年、プロジェクタを使用する環境が拡がりつつあり、社内会議や出張先でのプレゼンテーションなどで用いられる他、ＣＡＤ／ＣＡＭ／ＣＡＥのデータを取り込んで拡大投写することで、研究開発部門等での技術検討会に用いられたり、各種セミナーや研修会、さらには視聴覚教育を行う学校の授業でも用いられている。また、ＣＴスキャンやＭＲＩなどの医療画像やデータを投写し、治療法の検討、医療指導などに役立てたり、展示会や大勢が集まるイベントなどを効果的に演出するのにも用いられる。
【０００３】
このように、あらゆる環境でプロジェクタが用いられる現在では、プロジェクタに求められる仕様・機能も様々であり、携帯性を追求した軽量コンパクトモデル、画像品質を追求した高輝度モデルおよび高解像度モデル、各デジタル機器やモバイルツールとの接続を可能にした高機能モデルなどがある。
そして、使用される環境のさらなる拡大が予想されることから、新たな使用環境を想定したより高付加価値のプロジェクタの開発が盛んに行われている。
そのような中にあって、軽量化、コスト削減、および部品のリサイクルを優先させたプロジェクタの開発も行われている。
【０００４】
【発明が解決しようとする課題】
プロジェクタを構成する最も大きな部品の一つに外装ケースがある。外装ケースは通常、軽量化やコスト削減という観点から、樹脂製にすることが多い。外装ケースを樹脂製とした場合には、内部の電子回路等を電磁障害から保護し、外部へ電磁障害を与えないために、何らかの電磁遮蔽対策を施す必要がある。樹脂製の外装ケースに施す電磁遮蔽対策としては、外装ケースの少なくとも内面にメッキを施したり、導電性塗料を蒸着することが行われる。
しかしながら、このような処理を施した場合には、外装ケースからメッキや導電性塗料を容易に分離できないので、外装ケースをリサイクル部品として扱うことが難しく、また、かえってコスト高になってしまう可能性がある。
【０００５】
本発明の目的は、軽量化およびコスト削減に加え、部品のリサイクル化を促進できるプロジェクタを提供することにある。
【０００６】
【課題を解決するための手段】
本発明のプロジェクタは、光源から出射された光束を変調した後に拡大投写して投写画像を形成する光学系と、この光学系を収容する外装ケースとを備えており、前記外装ケースは、金属製部分と樹脂製部分とで構成され、前記樹脂製部分の内部側には、金属製の電磁遮蔽部材が取り外し可能に設けられており、前記金属製部分には、ネジ孔が穿設され、前記樹脂製部分には、前記ネジ孔に対応したリブが設けられ、前記電磁遮蔽部材は板状であって、前記金属製部分の側面に対向するように折曲された折曲面部を備えており、前記電磁遮蔽部材の折曲部分には開口が設けられ、前記電磁遮蔽部材が前記樹脂製部分に固定された状態では前記開口に前記リブが挿入されることにより、前記折曲面部は、前記金属製部分の側面と前記リブとの間に挟まれて前記リブに螺合するネジで固定されていることを特徴とする。
【０００７】
このような発明では、大きな強度が要求される部分を金属製とし、他の部分を樹脂製にすることにより、全てを金属製とした場合や樹脂製とした場合に比して確実に軽量化が促進され、また、コスト削減が図れる。さらに、樹脂製部分の内部側には、電磁遮蔽部材が取り外し可能に設けられているので、電磁障害から電子回路を保護しつつ、樹脂製部分と電磁遮蔽部材とが確実に分離されるようになり、外装ケースがリサイクル部品として扱われるようになる。この際、金属製部分をアルミニウムやその合金等の軽量な非鉄金属で形成することが好ましい。
また、樹脂製部分と金属製部分とを固定するネジを締め付けるだけで、相互の固定を行えるとともに、樹脂製部分の内側に配置された電磁遮蔽部材の折曲面部が金属製部分の側面とリブとの間で挟持され、外装ケースの金属製部分と電磁遮蔽部材とが確実に接触して導通し、良好な電磁遮蔽効果が得られる。
【０００８】
本発明のプロジェクタでは、前記外装ケースの樹脂製部分には金属製のナット部材が埋設され、このナット部材に螺合されるネジで前記金属製部分が当該樹脂製部分に固定されていることが好ましい。
このような構成にすれば、金属製部分を貫通してナット部材に螺合するネジにより、樹脂製部分への金属製部分の固定が確実に行える。
【０００９】
本発明のプロジェクタは、光源から出射された光束を変調した後に拡大投写して投写画像を形成する光学系と、この光学系を収容する外装ケースとを備えており、前記外装ケースは、金属製部分と樹脂製部分とで構成され、前記樹脂製部分の内部側には、金属製の電磁遮蔽部材が取り外し可能に設けられており、前記外装ケース内に配置される電源は、当該電源のインレットコネクタが取り付けられた接地用の導通部材を備え、前記樹脂製部分には垂下片が設けられ、前記電磁遮蔽部材は板状であって、前記金属製部分の側面に対向するように折曲された折曲面部を備えており、前記電磁遮蔽部材の折曲部分には開口が設けられ、前記折曲面部は、前記垂下片が前記開口に挿入されることによって前記金属製部分の側面と前記垂下片との間に挟まれ、前記導通部材は、前記インレットコネクタの取付位置近傍で前記垂下片、前記折曲面部と共に前記金属製部分にネジ止めされていることを特徴とする。
ここで、用いられるネジは、金属製などからなる導電性を有したものである。
【００１０】
このような発明では、大きな強度が要求される部分を金属製とし、他の部分を樹脂製にすることにより、全てを金属製とした場合や樹脂製とした場合に比して確実に軽量化が促進され、また、コスト削減が図れる。さらに、樹脂製部分の内部側には、電磁遮蔽部材が取り外し可能に設けられているので、電磁障害から電子回路を保護しつつ、樹脂製部分と電磁遮蔽部材とが確実に分離されるようになり、外装ケースがリサイクル部品として扱われるようになる。この際、金属製部分をアルミニウムやその合金等の軽量な非鉄金属で形成することが好ましい。
また、このような発明では、導通部材をネジを介して金属製部分に固定することで電源の接地効果が強化される。また、この導通部材はインレットコネクタを備えているが、このインレットコネクタの取付位置近傍で、前記樹脂製部分と共に金属製部分に固定されるので、この固定部分によって前記取付位置周縁が補強されることになる。従って、インレットコネクタに対して電源コード側のコネクタを挿抜する際でも、インレットコネクタのぐらつき等が防止され、耐久性が向上する。さらに、樹脂製部分と金属製部分とを固定するのを利用して導通部材をも固定するから、導通部材を別途固定する必用がなく、構造が簡易になる。
【００１８】
本発明のプロジェクタでは、前記外装ケースは、上面部、底面部、前面部、背面部、および対向する一対の側面部を有する略箱状とされているとともに、前記前面部を形成する金属製のフロントケースと、前記上面部および背面部を一体に形成する樹脂製のアッパーケースと、前記底面部および前記各側面部を一体に形成する金属製のロアーケースとで構成されていることが好ましい。
このような構成にすれば、内部部品を固定あるいは支持することの多い底面部および側面部を一体の金属製のロアーケースとしたり、光学系等の熱影響が大きい背面部や、手に触れやすい上面部を一体の樹脂製のアッパーケースとすることにより、内部部品の固定が容易で確実に行え、かつ扱い易い外装ケースが得られる。
【００２０】
【発明の実施の形態】
以下、本発明の一実施形態を図面に基づいて説明する。
【００２１】
〔１．プロジェクタの主な構成〕
図１は、本実施形態に係るプロジェクタ１を上方から見た全体斜視図、図２は、プロジェクタ１を下方から見た全体斜視図、図３は、プロジェクタ１の内部を示す斜視図である。
図１ないし図３において、プロジェクタ１は、外装ケース２と、外装ケース２内に収容された電源ユニット３と、同じく外装ケース２内に配置された平面Ｌ字形とされた光学ユニット４とを備えている。
【００２２】
外装ケース２には、内部に冷却空気を取り入れるための吸気口２Ａ，２Ｂ，２Ｃ、および内部から冷却空気を排出するための排気口２Ｄ，２Ｅの他、操作パネル２Ｆや、スピーカの位置に対応した多数の孔２Ｇ等が設けられている。このような外装ケース２の背面側には、インターフェース用の種々のコネクタが露出しており。各コネクタがマウントされるドライバーボードや他のボードは、電磁遮蔽機能を有し、かつ背面側の開口部分を塞ぐように固定されたアルミ板５０に支持されるようになっている。なお、外装ケース２の詳細な構成および形状等は後述する。
【００２３】
電源ユニット３は、外装ケース２（図３）内の前面側に配置された主電源３１と、主電源３１の後方に配置されたバラスト３２とで構成されている。主電源３１は、電源ケーブルを通して供給された電力をバラスト３２や図示しないドライバーボード（電子回路基板）等に供給するものであり、前記電源ケーブルが差し込まれるインレットコネクタ３３（図２）、周囲を囲む導通部材としての金属製のフレーム３４、図示しない電源回路等を備えている。
バラスト３２は、電力を主に光学ユニット４の光源ランプ（後述）に供給するものであり、ランプ駆動回路を備えている。
【００２４】
光学ユニット４は、図４に示すように、インテグレータ照明光学系４１、色分離光学系４２、リレー光学系４３、電気光学装置４４、色合成光学系としてのクロスダイクロイックプリズム４５、および投写光学系としての投写レンズ４６を備えている。
【００２５】
〔２．光学系の詳細な構成〕
インテグレータ照明光学系４１は、光源ランプ４１１およびリフレクタ４１２を含む光源装置４１３と、第１レンズアレイ４１４と、偏光変換素子４１５と、第２レンズアレイ４１６とを備えている。光源ランプ４１１から射出された光束は、リフレクタ４１２によって集光点に集光するように反射した後、集光点までの途中位置に配置された第１レンズアレイ４１４によって複数の部分光束に分割され、そして、偏光変換素子４１５によって１種類の偏光光に変換され、第２レンズアレイ４１６に入射する。なお、このような偏光変換素子４１５は、例えば特開平８−３０４７３９号公報に紹介されている。
偏光変換素子４１５によって１種類の偏光光に変換された各部分光束は、集光レンズ４１７に集光し、最終的に電気光学装置４４を構成する３枚の光変調装置（ライトバルブ）としての液晶パネル４４１（色光毎に液晶パネル４４１Ｒ，４４１Ｇ，４４１Ｂと示す）上にほぼ重畳される。
【００２６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２、４３４を備え、色分離光学系４２で分離された色光、例えば、青色光を液晶パネル４４１Ｂまで導く機能を有している。
【００２７】
電気光学装置４４は、３枚の光変調装置となる液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
クロスダイクロイックプリズム４５は、３枚の液晶パネル４４１Ｒ，４４１Ｇ，４４１Ｂから射出された各色光ごとに変調された画像を合成してカラー画像を形成するものである。なお、クロスダイクロイックプリズム４５には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、クロスダイクロイックプリズム４５で合成されたカラー画像は、投写レンズ４６から射出され、スクリーン上に拡大投写される。
【００２８】
以上説明した各光学系４１〜４５は、図５に示す合成樹脂製のライトガイド４７に収容される。すなわち、このライトガイド４７には、光源装置４１３を覆う光源保護部４７１の他、前述の各光学部品４１４〜４１６，４２１〜４２３，４３１〜４３４を上方からスライド式に嵌め込む溝部４７２〜４８１が設けられている。ここで、溝部４７３には、一体にユニット化された偏光変換素子４１５および第２レンズアレイ４１６が嵌め込まれる。そして、ライトガイド４７には、図３に示すカバー４８が取り付けられている。
【００２９】
また、ライトガイド４７の光出射側にはヘッド部４９（図５、図６）が配置されている。このヘッド部４９の一端側に液晶パネル４４１Ｒ，４４１Ｇ，４４１Ｂが一体に取り付けられたプリズム４５が固定され、他端側の半円筒状部分に沿ったフランジ上に投写レンズ４６が固定されている。
【００３０】
〔３．冷却構造〕
図１から図３において、プロジェクタ１内には、投写レンズ４６脇および外装ケース２底面の吸気口２Ａから吸引された冷却空気が排気口２Ｄから排気される第１冷却系統Ａ、外装ケース２の側面に設けられた吸気口２Ｂから吸引された冷却空気が排気口２Ｅから排気される第２冷却系統Ｂ、外装ケース２の底面に設けられた吸気口２Ｃから吸引された冷却空気が排気口２Ｅから排気される第３冷却系統Ｃが形成されている。
【００３１】
第１冷却系統Ａでは、主電源３１の投写レンズ４６側に軸流吸気ファン５１（図３中に一点鎖線で図示）が設けられ、バラスト３２の光源装置４１３側に第１シロッコファン５２が設けられている。
軸流吸気ファン５１の駆動によって投写レンズ４６脇および吸気口２Ａから吸引された冷却空気は、主電源３１を冷却した後に第１シロッコファン５２に吸引される。また、この第１シロッコファン５２の吸引作用により、吸気口２Ａからの冷却空気の一部は、バラスト３２を冷却しながらシロッコファン５２側に流れ、吸引される。第１シロッコファン５２から吐き出された冷却空気は、ライトガイド４７に設けられた吸気用切欠部４７１Ａから光源保護部４７１内に入り込んで光源装置４１３を後方から冷却し、排気用切欠部４７１Ｂ（図５）から排気され、最終的に排気口２Ｄから外装ケース２外に排気される。
【００３２】
第２冷却系統Ｂでは、図６、図７の断面図に示すように、投写レンズ４６の下側に第２シロッコファン５３が設けられている。この第２シロッコファン５３は、吸気口２Ｂから電気光学装置４４の下方まで冷却空気を導くダクト部材６０（図５）の途中に配置されている。
吸気口２Ｂから吸引された冷却空気は、ダクト部材６０に導かれて第２シロッコファン５３に対して上方側から鉛直方向下向きに吸引され、外装ケース２の底面に沿って吐き出される。吐き出された冷却空気は、ダクト部材６０で電気光学装置４４の下方に導かれた後、鉛直方向上向きに方向を変えて電気光学装置４４を下方から上方に向かって冷却する。この後に冷却空気は、光学ユニット４の上部に配置された図示しないドライバーボードを冷却しながら背面側の軸流排気ファン５４に向かい、この排気ファン５４で排気口２Ｅから排気される。
【００３３】
第３冷却系統Ｃでは、図５、図１０中に一点鎖線で示すように、ライトガイド４７の下面における外装ケース２底面の吸気口２Ｃに対応した位置に第３シロッコファン５５が設けられている。
吸気口２Ｃから第３シロッコファン５５に吸引された冷却空気は、外装ケース２の底面およびライトガイド４７の下面間に形成されるダクト状部分を通って光源装置４１３側に吐き出された後、ライトガイド４７の溝部４７３に対応して設けられた吸気用開口４７３Ａ（図５）に導かれ、この溝部４７３に配置される前述したユニット（偏光変換素子４１５および第２レンズアレイ４１６からなるユニット）を下方から上方に向かって冷却する。この後に冷却空気は、カバー４８の排気用開口４８Ａ（図３）から排気され、最終的に背面側の軸流排気ファン５４で排気口２Ｅから排気される。
【００３４】
〔４．外装ケースの詳細な構造〕
図８において、外装ケース２は、本発明に係る樹脂製部分としての合成樹脂製のアッパーケース２１と、金属製部分としてのアルミニウム製のロアーケース２２と、同じく金属製部分としてのアルミニウム製のフロントケース２３とで構成されている。
【００３５】
アッパーケース２１は、上面部２１１および背面部２１２が一体成形された形状である。上面部２１１の内部側には、アルミニウム板のパンチング加工による多孔状の第１電磁遮蔽部材２１３が取り外し可能に設けられている。具体的には、合成樹脂製の上面部２１１の内部側に複数の突起部を設け、この突起部を孔に貫通させるようにして第１電磁遮蔽部材２１３を取り付け、突起部の第１電磁遮蔽部材２１３から突出した部分を加熱してつぶすことにより、第１電磁遮蔽部材２１３を上面部２１１に固定している。従って、この突起部をニッパー等の適宜なハンドツールで切断すれば、合成樹脂製のアッパーケース２１からアルミニウム製の第１電磁遮蔽部材２１３を容易に取り外すことができる。
【００３６】
一方、アッパーケース２１の背面部２１２の内部側にも、アルミニウム板からなる第２電磁遮蔽部材２１４が設けられている。第２電磁遮蔽部材２１４は、ロアーケース２２側にネジ止めされており、やはりアッパーケース２１から分離可能である。
この第２電磁遮蔽部材２１４には、図９に示すように、アッパーケース２１の背面部２１２に設けられた排気口２Ｄに対応してルーバー２１５が設けられている。ルーバー２１５は、予め矩形の複数の開口を穿設しておき、この開口の上縁部分を絞りあるいは曲げ加工することで内部側から外部側に張り出した形状とされ、内部から外部へ冷却空気を排気しつつ、外部から目視した場合でも、内部を伺えないように遮蔽している。つまり、ここでの排気口２Ｄが本発明に係る樹脂製部分側の通気用開口である。
【００３７】
ロアーケース２２は、図１０にも示すように、底面部２２１および対向し合う一対の側面部２２２が一体に形成された形状である。底面部２２１および対向し合う一対の側面部２２２は、プレスやマシニングセンタ等で加工された所定形状のアルミニウム板を曲げ加工することで形成されている。具体的には、図７に示したように、底面部２２１および側面部２２２間の折曲部２２Ａが曲げ加工によって形成されている。
また、底面部２２１には、電源ユニット３、光学ユニット４、各シロッコファン５２，５３，５５等の内部部品の形状などに応じて下方に窪ませた加工が施されている。具体的には、図６、図７に示したように、断面凹状部分を形成する折曲部２２Ｂが絞り加工で形成されている。
さらに、図１０に示すように、これらとは逆方向の絞り加工により、底面部２２１には、前記内部部品等が載置される複数の載置部２２３が形成されている。これらの載置部２２３には、ネジ部が刻設されるバーリング部や、必要に応じて位置決め用の突起も併せて形成されており、ネジ孔に螺合される上方からのネジで内部部品が固定されるようになっている。
そして、載置部２２３は、外部側から目視した場合に窪んだ形状となるが、このように窪んだ載置部２２３は、図２に示すように、プロジェクタ１の電気的な定格等を表示するラベル２２９で覆われて見えないようになっている。
【００３８】
図６に示すように、底面部２２１の後方（背面部２１２）の辺縁には、二度の曲げ加工により、上側立面部２２４、水平面部２２５、および下側立面部２２６からなる断面クランク状の大補強部２２７が形成されている。このうち、水平面部２２５は、図１０に示すように、辺縁の長手方向の中央側がより広く形成されており、この中央寄りの部分に前述の軸流排気ファン５４が載置され、上側立面部２２４にネジ止めされている。
また、大補強部２２７が形成された辺縁の近傍には、光源装置４１３を交換するための大きな開口部２２８が設けられている。
【００３９】
底面部２２１の前方の両隅部分には、上下に進退するボルト状のフット部材および操作レバー等を備えた高さ位置調整機構５が設けられている。この高さ位置調整機構５を操作することにより、プロジェクタ１全体の傾きを調整することが可能である。これに対して底面部２２１の後方側中央部には、樹脂製のフット部材６（図２、図１０）が嵌合しているのみである。なお、このようなフット部材６の代わりに、下方に突出した凸状部分を絞り加工等で形成してもよい。
【００４０】
図１、図６、図８に示すフロントケース２３は、外装ケース２の前面部２３１を形成する部材であり、やはりプレスやマシニングセンタ等で加工された所定形状のアルミニウム板の曲げ加工あるいは絞り加工によって形成されている。
図８に示すように、フロントケース２３には投写レンズ４６に対応して丸孔開口２３２が設けられ、丸孔開口２３２の周辺は絞り加工によって内部側に湾曲している。
【００４１】
図６に示すように、フロントケース２３の上下の辺縁には、先端側が絞り加工により内部側に折曲した断面クランク状の小補強部２３３，２３４が形成され、特に丸孔開口２３２によって細肉とされた部分が補強されている。さらに、上方の小補強部２３３は、本発明に係る段差部でもあり、小補強部２３３の段差部分の外部側には、アッパーケース２１の前面側の薄肉な辺縁部分が重なり、アッパーケース２１とフロントケース２３との境界部分で表面同士が面一とされている。
【００４２】
以上のような外装ケース２において、アッパーケース２１の上面部２１１および背面部２１２はロアーケース２２の各側面部２２２に対してそれぞれネジ止めされ、また、背面部２１２は前述した上側立面部２２４にネジ止めされる。
この際、ロアーケース２２の一方の側面部２２２に設けられた吸気口２Ｂの上方では、図１１に示すように、側面部２２２にネジ孔２２２Ａが穿設されているとともに、アッパーケース２１の上面部２１１には、側面部２２２のネジ孔２２２Ａに対応してリブ２１１Ａが設けられている。リブ２１１Ａには金属製のナット部材２１１Ｂが埋め込まれており、このナット部材２１１Ｂに螺合されるネジ２４でアッパーケース２１とロアーケース２２とが固定される。そして、リブ２１１Ａは、第１電磁遮蔽部材２１３の折曲部分に設けられた角穴開口２１３Ａ（図８をも参照）に挿入されており、第１電磁遮蔽部材２１３の折曲面部２１３Ｂがリブ２１１Ａおよび側面部２２２間に挟持されるようになっている。このことにより、折曲面部２１３Ｂとロアーケース２２とが接触して導通し、良好な電磁遮蔽効果が得られるようになっている。
【００４３】
一方、この固定部分とは反対側、すなわち、インレットコネクタ３３（図２）の上方側では、図７に示すように、アッパーケース２１に設けられた垂下片２１１Ｃとロアーケース２２の側面部２２２とを貫通するするネジ２４が主電源３１に螺合され、これによってアッパーケース２１とロアーケース２２とが固定されている。この際には、垂下片２１１Ｃが第１電磁遮蔽部材２１３の角穴開口２１３Ａ（図８）に挿入され、折曲面部２１３Ｂが垂下片２１１Ｃと側面部２２２との間に挟持されて当該側面部２２２と導通している。
さらに、図７に示したように、垂下片２１１Ｃと主電源３１との間には前述のフレーム３４が挟持されており、接地用としても設けられたフレーム３４がネジ２４を介して側面部２２２に導通し、接地効果を向上させている。また、フレーム３４におけるインレットコネクタ３３の近傍部分が主電源３１、垂下片２１１Ｃ、および側面部２２２に固定されることになり、インレットコネクタ３３への電源ケーブルの挿抜時に、インレットコネクタ３３がぐらつくのを防止している。
なお、第１遮蔽部材２１３の他の角穴開口２１３Ｃ（図８）にも、前記リブ２１１Ａと同様な図示しないリブが挿入され、このリブと側面部２２２との間で折曲面部２１３Ｂを挟持し、側面部２２２に積極的に導通させている。ただし、このようなリブにはナット部材２１１Ｂ（図１１）は埋設されていない。
【００４４】
図１に示すように、ロアーケース２２の各側面部２２２の前方側にはフロントケース２３の左右の端部がネジ止めされ、底面部２２１の前方の辺縁にはフロントケース２３の下方の辺縁がネジ止めされる。また、アッパーケース２１の上面部２１１の前方側には、フロントケース２３の上方の辺縁がネジ止めされる。ここで、上面部２１１へのフロントケース２３の固定構造は、図１１に示したようにリブ２１１Ａおよびナット部材２１１Ｂを用いた構造であるが、各ケース２１〜２３の他の固定部分の構造は、内部側に位置する金属製のロアーケース２２に直にネジ孔を刻設し、このネジ孔にネジを螺合して外部側のアッパーケース２１あるいはフロントケース２３を固定する構造である（図１および図２にネジ孔２１２Ａ，２３１Ａで図示した部分）。
【００４５】
〔５．実施形態の効果〕
このような本実施形態によれば、以下のような効果がある。
(１)電源ユニット３、光学ユニット４等の内部部品が載置固定されるロアーケース２２が金属製とされ、外装ケース２の他の大部分を占めるアッパーケース２１が樹脂製であるから、全てを金属製とした場合や樹脂製とした場合に比し、内部部品が載置される部分の強度を確実に確保しつつ、外装ケース２を十分に軽量化でき、またコストを削減できる。
【００４６】
(２)樹脂製とされたアッパーケース２１の内部側には、金属製の第１、第２電磁遮蔽部材２１３，２１４が設けられているので、電磁障害からドライバーボード等の電子回路等を確実に保護できる。この際、第２電磁遮蔽部材２１４は勿論であるが、上面部２１１に一体的に固定された第１電磁遮蔽部材２１３も、上面部２１１から容易に取り外すことができるから、アッパーケース２１には一切金属部分がなくなり、この結果、樹脂製のリサイクル部品として扱うことができ、リサイクル化を促進できる。
【００４７】
(３)アッパーケース２１の上面部２１１には操作パネル２Ｆが設けられており、手が触れ易くなっているが、この部分は樹脂製であるため、手で触れたときの触感を良好にできる。
また、高温となる光源装置４１３の近傍であるうえ、熱を含んだ冷却空気が排気される背面部２１２も樹脂製であるから、背面部２１２の表面温度が著しく上昇する心配がない。
これらのことにより、外装ケース２ひいては、この外装ケース２で覆われたプロジェクタ１の取扱性を向上させることができる。
【００４８】
(４)ロアーケース２２およびフロントケース２３の材料としてアルミニウムを用いているため、鉄等を用いるのに比して軽量化でき、マグネシウムや他の合金等を用いるのに比して安価にできる。
【００４９】
(５)ロアーケース２２およびフロントケース２３は、所定の外形形状を有したアルミニウム板の絞り加工および曲げ加工で形成されているので、金型が高価であり、かつ成形できる大きさに制限があるダイカスト製と比べると、専用の金型を製作した場合でも安価にできるうえ、大きな面状部分も容易に形成でき、生産コストを格段に削減できる。
【００５０】
(６)フロントケース２３において、上下の辺縁部分には断面クランク状の小補強部２３３，２３４が形成されているので、投写レンズ４６に対応した丸孔開口２３２によって周囲に細肉部分が形成されても、この細肉部分を小補強部２３３，２３４で確実に補強でき、フロントケース２３の組立時等に容易に変形するのを防止できる。
【００５１】
(７)このような小補強部２３３，２３４は絞り加工によって形成されているので、曲げ加工によって形成する場合よりも断面的に小さくでき、内部に配置される電源ユニット３や第２シロッコファン５３との緩衝を避けることができる。
【００５２】
(８)特に上方の小補強部２３３の外側には、薄肉に形成されたアッパーケース２１の辺縁が重なっているが、小補強部２３３の段差部分の段差量が絞り加工によって小さく（浅く）形成されているので、そのような薄肉の辺縁を重ねてもアッパーケース２１とフロントケース２３とを面一にでき、外観を良好にできる。
【００５３】
(９)ロアーケース２２の後方側の辺縁には、断面クランク状の大きな大補強部２２７が形成されているが、この大補強部２２７は二度の曲げ加工によって形成されているから、容易かつ確実に形成できる。
また、大補強部２２７によって辺縁の強度が格段に向上するので、この辺縁に沿って光源装置４１３交換用の大きな開口部２２８を設けても、辺縁の変形等を確実に防止できる。
【００５４】
(10)軸流排気ファン５４は大補強部２２７に載置固定されているので、ファン５４を確実に支持できるとともに、辺縁に固定されていることでファン５４の着脱作業を後方側から容易にできる。
【００５５】
(11)ロアーケース２２の底面部２２１には、電源ユニット３、光学ユニット４等の内部部品を載置する載置部２２３が絞り加工で形成されているので、載置部２２３を容易に形成できるのに加え、この載置部２２３の回りを確実に補強して高強度にできる。
【００５６】
(12)底面部２２１の外表面には、載置部２２３によって凹状に窪んだ部分が電気的な定格等を表示するラベル２２９で覆われているので、この窪んだ載置部２２３自身や載置部２２３から突出したネジの先端等を隠すことができ、外観を良好にできる。
【００５７】
(13)主電源３１を囲む接地用のアルミ製フレーム３４は、ネジ２４を介して金属製のロアーケース２２に導通しているので、接地効果を強化できる。
さらに、フレーム３４にはインレットコネクタ３３が取り付けられているが、このインレットコネクタ３３の取付位置近傍で、フレーム３４がロアーケース２２等に固定されているので、この固定部分によってインレットコネクタ３３の取付位置周縁を補強できる。従って、インレットコネクタ３３に対して電源コード側のコネクタを挿抜する際でも、インレットコネクタ３３のぐらつき等を防止でき、耐久性を向上させることができる。
しかも、アッパーケース２１とロアーケース２２とを固定するのを利用してフレーム３４もが固定されるから、フレーム３４を別途固定する必用がなく、構造を簡易にできるえ、固定作業も容易にできる。
【００５８】
(14)アッパーケース２１の背面部２１２には排気口２Ｄが設けられ、この内部側に設けられた第２電磁遮蔽部材２１４にはルーバー２１５が設けられているので、プロジェクタ１内の冷却空気の排気を可能にしながらも、排気口２Ｄから第２電磁遮蔽部材２１４のさらに内部を見え難くでき、排気口２Ｄの遮蔽性も同時に確保できる。
この際、樹脂製である背面部２１２には、金型が複雑になる関係でルーバーを設けることが困難であるが、その内部側にある金属製の第２電磁遮蔽部材２１４にルーバー２１５を形成することで、その形成を絞り加工や切り起こし加工等によって容易に行える。
【００５９】
(15)樹脂製のアッパーケース２１のリブ２１１Ａには金属製のナット部材２１１Ｂが埋設されているので、ネジ２４を大きなトルクで締め付けても、螺合部分が損傷する心配がなく、リブ２１１Ａに対してロアーケース２２およびフロントケース２３を大きな固定強度で確実に固定できる。
【００６０】
(16)ロアーケース２２においては、大きな面状部分を有する底面部２２１および両側面部２２２が曲げ加工によって互いに折曲されているので、このような部分を絞り加工や他の加工法で形成するよりも確実性があり、歩留まりも良好にでき、生産性を良好にできる。
【００６１】
〔６．変形例〕
なお、本発明は、前記実施形態に限定されるものではなく、本発明の目的を達成できる他の構成等を含み、以下に示すような変形等も本発明に含まれる。
例えば、前記実施形態の外装ケース２では、フロントケース２３が金属製であったが、このようなフロントケースを樹脂製とし、また、このような樹脂製のフロントケースを樹脂製のアッパーケースと一体に形成してもよい。さらに、アッパーケースとしては、背面部を別体に設けた構成や、側面部を樹脂製として一体に設けた構成であってもよい。反対に、背面部を金属製にしてロアーケースと一体に設けたり、フロントケースとロアーケースとを一体に設ける等してもよい。要するに、何れの部位を樹脂製とし、あるいは金属製とするか等は、本発明を実施するにあたって適宜に決められてよい。
【００６２】
前記実施形態では、アッパーケース２１の上面部２１１に取り外し可能に設けられた第１電磁遮蔽部材２１３が本発明に係る電磁遮蔽部材であったが、第２電磁遮蔽部材２１４をロアーケース２２ではなく、アッパーケース２１の背面部２１２の内部側に取り外し可能に設けることで、本発明の電磁遮蔽部材としてもよい。そして、このような場合には、上面部２１１および背面部２１２のそれぞれに設けられる電磁遮蔽部材を一体に設けることが好ましい。
【００６３】
外装ケースの金属製部分を曲げ加工や絞り加工の他、ダイカスト製法によって製作した場合でも本発明に含まれる。その他、外装ケースに設けられる補強部や載置部等の具体的な形状などは、前記実施形態に示したものに限定されず、任意である。
【００６４】
前記実施形態では、３つの光変調装置を用いたプロジェクタの例のみを挙げたが、本発明は、１つの光変調装置のみを用いたプロジェクタ、２つの光変調装置を用いたプロジェクタ、あるいは、４つ以上の光変調装置を用いたプロジェクタにも適用可能である。また、前記実施形態では、光変調装置として液晶パネルを用いていたが、マイクロミラーを用いたデバイスなど、液晶以外の光変調装置を用いても良い。さらに、前記実施形態では、光入射面と光出射面とが異なる透過型の光変調装置を用いていたが、光入射面と光出射面とが同一となる反射型の光変調装置を用いても良い。さらにまた、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【００６５】
【発明の効果】
以上に述べたように、本発明によれば、大きな強度が要求される部分が金属製とされ、他の部分が樹脂製であるから、全てを金属製とした場合や樹脂製とした場合に比して確実に軽量化を促進でき、また、コストを削減できる。さらに、樹脂製部分の内部側には、電磁遮蔽部材が取り外し可能に設けられているので、電磁障害から電子回路を保護し、外部へも電磁障害を与えずに、樹脂製部分と電磁遮蔽部材とを確実に分離でき、外装ケースをリサイクル部品として扱えるという効果がある。
【図面の簡単な説明】
【図１】本発明の一本実施形態に係るプロジェクタを上方から見た全体斜視図である。
【図２】プロジェクタを下方から見た全体斜視図である。
【図３】プロジェクタの内部を示す斜視図である。
【図４】プロジェクタの各光学系を模式的に示す平面図である。
【図５】プロジェクタの光学ユニットの構成部材を示す斜視図である。
【図６】図１の矢印VI−VIから見た縦断面図である。
【図７】図１の矢印VII−VIIから見た縦断面図である。
【図８】前記実施形態の外装ケースの分解斜視図である。
【図９】外装ケースの要部を示す縦断面図である。
【図１０】外装ケースを構成するロアーケースを示す全体斜視図である。
【図１１】外装ケースの他の要部を示す縦断面図である。
【符号の説明】
１  プロジェクタ
２  外装ケース
２Ｄ  排気口
３  電源である電源ユニット
２１  アッパーケース
２２  ロアーケース
２３  フロントケース
２４  ネジ
３３  インレットコネクタ
３４  導通部材であるフレーム
５４  軸流排気ファン
２１１  上面部
２１１Ｂ  ナット部材
２１２  背面部
２１３  第１電磁遮蔽部材
２１４  第２電磁遮蔽部材
２１５  ルーバー
２２１  底面部
２２２  側面部
２２３  載置部
２２７  大補強部
２２９  ラベル
２３３  段差部兼用の小補強部
２３４  小補強部
２３１  前面部
４１３  光源装置
【図１】
0003937691.tif 000002
【図２】
0003937691.tif 000003
【図３】
0003937691.tif 000004
【図４】
0003937691.tif 000005
【図５】
0003937691.tif 000006
【図６】
0003937691.tif 000007
【図７】
0003937691.tif 000008
【図８】
0003937691.tif 000009
【図９】
0003937691.tif 000010
【図１０】
0003937691.tif 000011
【図１１】
0003937691.tif 000012